(57)【要約】【課題】エリアが変更されても、受信可能なユーザ登録局を容易かつ適切にリスト表示させることが可能な移動体受信端末及び移動体受信端末における放送局のリスト更新方法を提供する。【解決手段】放送局から送信された放送波を受信する受信部、視聴する放送局を選局する選局操作及び選局した放送局をユーザ登録局として記憶する登録操作を受け付ける操作部、現在位置の位置情報を取得する位置情報取得部、登録操作が受け付けられた場合に、取得された現在位置の属するエリアに対応して当該登録操作に係るユーザ登録局を記憶する記憶部、記憶されたユーザ登録局が、対応付けられたエリアとは異なるエリアで選局されていた場合に、当該異なるエリアにおいてもユーザ登録局として記憶させるとともに、取得された位置情報に基づいて、現在位置が属するエリアに対応して記憶されているユーザ登録局を表示部にリスト表示させる制御部、を備える。【選択図】図１
2012090200.tif 000002
【特許請求の範囲】
【請求項１】
放送局から送信された放送波を受信する受信部と、
視聴する放送局を選局する選局操作及び選局した放送局をユーザ登録局として記憶する登録操作を受け付ける操作部と、
現在位置の位置情報を取得する位置情報取得部と、
前記操作部により前記登録操作が受け付けられた場合に、前記位置情報取得部により取得された現在位置の属するエリアに対応して当該登録操作に係るユーザ登録局を記憶する記憶部と、
前記記憶部に記憶されたユーザ登録局が、対応付けられたエリアとは異なるエリアで選局されていた場合に、当該異なるエリアにおいてもユーザ登録局として前記記憶部に記憶させるとともに、前記位置情報取得部により取得された位置情報に基づいて、現在位置が属するエリアに対応して前記記憶部に記憶されているユーザ登録局を表示部にリスト表示させる制御部と、
を備えることを特徴とする移動体受信端末。
【請求項２】
前記制御部は、前記位置情報取得部により取得される位置情報に基づいて現在位置の変化を監視し、前記ユーザ登録局が選局されているときに現在位置の属するエリアが変化した場合に、前記ユーザ登録局を変化後のエリアにおけるユーザ登録局として前記記憶部に記憶させることを特徴とする請求項１に記載の移動体受信端末。
【請求項３】
前記制御部は、選局されている放送局に対して前記操作部により前記登録操作を受け付けた場合に、前記選局されている放送局を前記ユーザ登録局として登録するとともに受信フラグをオンに設定する一方、前記受信フラグがオンに設定されているときに前記ユーザ登録局として登録した放送局以外の放送局が選局された場合は、受信フラグをオフに設定し、この受信フラグの状態に基づいて前記ユーザ登録局を変化後のエリアにおけるユーザ登録局として前記記憶部に記憶させるか否かを判定することを特徴とする請求項２に記載の移動体受信端末。
【請求項４】
前記記憶部は、前記ユーザ登録局とは異なる予め記憶されたプリセット局をエリア別に記憶し、
前記制御部は、前記位置情報取得部により取得された位置情報に基づいて、現在位置が属するエリアに対応して前記記憶部に記憶されているプリセット局を表示部にリスト表示させることを特徴とする請求項１〜３のいずれか一項に記載の移動体受信端末。
【請求項５】
放送局から送信された放送波を受信する受信部と、視聴する放送局を選局する選局操作及び選局した放送局をユーザ登録局として記憶する登録操作を受け付ける操作部と、現在位置の位置情報を取得する位置情報取得部と、前記操作部により前記登録操作が受け付けられた場合に、前記位置情報取得部により取得された現在位置の属するエリアに対応して当該登録操作に係るユーザ登録局を記憶する記憶部と、を備える移動体受信端末における放送局のリスト更新方法であって、
前記記憶部に記憶されたユーザ登録局が、対応付けられたエリアとは異なるエリアで選局されていた場合に、当該異なるエリアにおいてもユーザ登録局として前記記憶部に記憶させる工程と、
前記位置情報取得部により取得された位置情報に基づいて、現在位置が属するエリアに対応して前記記憶部に記憶されているユーザ登録局を表示部にリスト表示させる工程と、
を含む移動体受信端末における放送局のリスト更新方法。
【発明の詳細な説明】
【技術分野】
【０００１】
本発明は、移動体受信端末及び移動体受信端末における放送局のリスト更新方法に関する。
【背景技術】
【０００２】
従来、放送局からの各種放送（例えばラジオ放送）を受信する機能を備えた受信端末において、受信可能な放送局を表示部にリスト表示させる技術が知られている（例えば、特許文献１）。ユーザはリスト表示されている放送局の中から所望の放送局を選局することで、その放送局の放送を視聴することができる。
【０００３】
一般に、放送局をリスト表示させるには、端末に各放送局の情報（例えば周波数、放送局名等）を記憶（登録）しておく必要がある。例えば、端末の製造メーカが予め放送局の情報を登録しておくことで、当該登録された放送局（以下、プリセット局と称する）をリスト表示させることができる。プリセット局の場合、受信可能なすべてのエリアにおいて情報が登録されているため、端末の現在位置が特定されれば、現在位置が属するエリアで受信可能なプリセット局をリスト表示させることが可能である。
【０００４】
移動体端末の場合、端末の現在位置の変化に伴い受信可能な放送局が変化するため、それに応じてリスト表示させる放送局を変更するのが望ましい。例えば特許文献２では、ＧＰＳ装置等により取得した現在位置の位置情報を利用してリスト表示させる放送局を変更するようにしている。具体的には、所定のエリア毎に受信可能な放送局の情報を登録したデータベースを予め端末に記憶しておき、現在位置が属するエリアのデータベースから受信可能な放送局を抽出してリスト表示させることで、上記技術を実現している。
【０００５】
また、端末が受信している放送局の受信感度を集計して各放送局の受信可能エリアを更新する技術が知られている（例えば、特許文献３）。
【先行技術文献】
【特許文献】
【０００６】
【特許文献１】特公平１−１３７６９号公報
【特許文献２】特開平１−１７５６９９号公報
【特許文献３】特開２００８−７８８７５号公報
【発明の概要】
【発明が解決しようとする課題】
【０００７】
ところで、端末が受信可能な放送局のうちプリセット局として登録されていない放送局に関しては、ユーザが任意に情報を登録して、当該登録された放送局（以下、ユーザ登録局と称する）をリスト表示させる技術が知られている。例えば、コミュニティＦＭのように地域密着型の放送局の場合、プリセット局としてすべてを登録しておくことは困難であるため、リスト表示したい放送局を任意で登録させる方が都合がよい。
【０００８】
しかしながら、ユーザ登録局の場合、ユーザが登録操作を行ったエリアにおいてのみ受信可能な放送局として情報が登録され、それ以外のエリアにおいては、ユーザ登録局として登録されない。そのため、ユーザが登録操作を行った以外のエリアでは、実際に受信可能であってもユーザ登録局としてリスト表示できないこととなり、不都合が生じていた。例えば、あるユーザ登録局を選局中に、登録されているエリアとは異なるエリアへと移動した場合に、引き続き放送を受信できることがあるが、現在位置が属するエリアにおいてはユーザ登録局として情報が登録されていないため、当該ユーザ登録局をリスト表示させることができなかった。
【０００９】
本発明は、エリアが変更されても、受信可能なユーザ登録局を容易かつ適切にリスト表示させることが可能な移動体受信端末及び移動体受信端末における放送局のリスト更新方法を提供することを目的とする。
【課題を解決するための手段】
【００１０】
請求項１に記載の発明は、上記目的を達成するためになされたものであり、移動体受信端末において、放送局から送信された放送波を受信する受信部と、
視聴する放送局を選局する選局操作及び選局した放送局をユーザ登録局として記憶する登録操作を受け付ける操作部と、
現在位置の位置情報を取得する位置情報取得部と、
前記操作部により前記登録操作が受け付けられた場合に、前記位置情報取得部により取得された現在位置の属するエリアに対応して当該登録操作に係るユーザ登録局を記憶する記憶部と、
前記記憶部に記憶されたユーザ登録局が、対応付けられたエリアとは異なるエリアで選局されていた場合に、当該異なるエリアにおいてもユーザ登録局として前記記憶部に記憶させるとともに、前記位置情報取得部により取得された位置情報に基づいて、現在位置が属するエリアに対応して前記記憶部に記憶されているユーザ登録局を表示部にリスト表示させる制御部と、
を備えることを特徴とする。
【００１１】
請求項２に記載の発明は、請求項１に記載の移動体受信端末において、前記制御部は、前記位置情報取得部により取得される位置情報に基づいて現在位置の変化を監視し、前記ユーザ登録局が選局されているときに現在位置の属するエリアが変化した場合に、前記ユーザ登録局を変化後のエリアにおけるユーザ登録局として前記記憶部に記憶させることを特徴とする。
【００１２】
請求項３に記載の発明は、請求項２に記載の移動体受信端末において、前記制御部は、選局されている放送局に対して前記操作部により前記登録操作を受け付けた場合に、前記選局されている放送局を前記ユーザ登録局として登録するとともに受信フラグをオンに設定する一方、前記受信フラグがオンに設定されているときに前記ユーザ登録局として登録した放送局以外の放送局が選局された場合は、受信フラグをオフに設定し、この受信フラグの状態に基づいて前記ユーザ登録局を変化後のエリアにおけるユーザ登録局として前記記憶部に記憶させるか否かを判定することを特徴とする。
【００１３】
請求項４に記載の発明は、請求項１〜３のいずれか一項に記載の移動体受信端末において、前記記憶部は、前記ユーザ登録局とは異なる予め記憶されたプリセット局をエリア別に記憶し、
前記制御部は、前記位置情報取得部により取得された位置情報に基づいて、現在位置が属するエリアに対応して前記記憶部に記憶されているプリセット局を表示部にリスト表示させることを特徴とする。
【００１４】
請求項５に記載の発明は、放送局から送信された放送波を受信する受信部と、視聴する放送局を選局する選局操作及び選局した放送局をユーザ登録局として記憶する登録操作を受け付ける操作部と、現在位置の位置情報を取得する位置情報取得部と、前記操作部により前記登録操作が受け付けられた場合に、前記位置情報取得部により取得された現在位置の属するエリアに対応して当該登録操作に係るユーザ登録局を記憶する記憶部と、を備える移動体受信端末における放送局のリスト更新方法であって、
前記記憶部に記憶されたユーザ登録局が、対応付けられたエリアとは異なるエリアで選局されていた場合に、当該異なるエリアにおいてもユーザ登録局として前記記憶部に記憶させる工程と、
前記位置情報取得部により取得された位置情報に基づいて、現在位置が属するエリアに対応して前記記憶部に記憶されているユーザ登録局を表示部にリスト表示させる工程と、
を含む移動体受信端末における放送局のリスト更新方法である。
【発明の効果】
【００１５】
本発明によれば、エリアが変更されても、受信可能なユーザ登録局を容易かつ適切にリスト表示させることが可能な移動体受信端末及び移動体受信端末における放送局のリスト更新方法を提供することができる。
【図面の簡単な説明】
【００１６】
【図１】本実施形態に係る移動体受信端末１の機能的構成について示したブロック図である。
【図２】リスト表示画面の一例について示した図である。
【図３】リスト表示画面の一例について示した図である。
【図４】エリアの一例として、全国各地をメッシュ状に区分けしたものについて示した図である。
【図５】プリセット局テーブルＴ１の一例について示した図である。
【図６】ユーザ登録局テーブルＴ２の一例について示した図である。
【図７】放送局登録画面の一例について示した図である。
【図８】移動体受信端末１内で行われる受信フラグ設定処理の一例について示したフローチャートである。
【図９】移動体受信端末１内で行われる放送局リスト更新処理の一例について示したフローチャートである。
【発明を実施するための形態】
【００１７】
以下、本発明の実施の形態を図面に基づいて説明する。
【００１８】
図１は、本実施形態に係る移動体受信端末１の機能的構成について示したブロック図である。実施形態の移動体受信端末１は、例えば自動車に搭載されるナビゲーション装置、又はユーザが携帯して使用する携帯端末装置である。
図１に示すように、移動体受信端末１は、アンテナ１１と、チューナ１２と、表示部１３と、操作部１４と、位置情報取得部１５と、記憶部１６と、音声出力部１７と、制御部１８と、を備えて構成されている。
【００１９】
アンテナ１１は、ラジオ放送の放送局（親局）又は中継局から放射された電波（放送波）を受信するための受信用アンテナである。アンテナ１１により受信された放送波は、電気信号である受信信号としてチューナ１２へと出力される。
【００２０】
チューナ１２は、アンテナ１１から出力されるラジオ放送の受信信号のうち、所定の周波数に対応する受信信号を抽出して復調する。所定の周波数とは、ユーザにより選局された放送局の周波数である。復調により生成された音声信号又は復号された音声データは、制御部１８を介して音声出力部１７へと出力され、音声出力される。或いは、上記復調により生成された音声信号又は復号された音声データを記憶部１６へと出力して記憶（録音）させることもできる。
アンテナ１１及びチューナ１２は、放送局から送信された放送波を受信する受信部として機能する。
【００２１】
表示部１３は、例えば液晶パネルや有機ＥＬ（Electro Luminescence）パネル等のディスプレイを備え、制御部１８による表示制御に従って、ディスプレイ上に各種画面を表示する。表示部１３に表示される画面としては、例えば放送局登録画面（後述する図７参照）、リスト表示画面（後述する図２、図３参照）等が挙げられる。
リスト表示画面とは、現在位置において受信可能なプリセット局及びユーザ登録局をリスト表示する画面のことである。なお、リスト表示画面の表示方法については、特に限定されるものではない。例えば、プリセット局及びユーザ登録局双方を同時にリスト表示させるようにしてもよいし（図２参照）、タブ（プリセット局タブＡ１及びユーザ登録局タブＡ２）で切り替えることにより一方ずつリスト表示させるようにしてもよい（図３（ａ）、（ｂ）参照）。
【００２２】
操作部１４は、移動体受信端末１の制御部１８に指令を与えるための操作キー群（例えば方向指示キー、決定キー、停止キー、登録キー等）を備え、ユーザによる入力操作を受け付ける。ユーザによる入力操作としては、例えば放送局の選局操作、放送局の登録操作等が挙げられる。操作部１４は、ユーザによる入力操作を受け付けると、当該入力操作に応じた操作信号を生成して、制御部１８へと出力する。
なお、表示部１３のディスプレイ上に、ユーザによる入力操作（例えば、手指やタッチペン等による押下）を検出する操作部１４としての機能を有したタッチパネルを載置する構成としてもよい。
【００２３】
位置情報取得部１５は、地球低軌道に打ち上げられた少なくとも３個のＧＰＳ衛星から送信されるＧＰＳ信号を受信するＧＰＳアンテナ１５ａを有するＧＰＳモジュールであり、受信したＧＰＳ信号に基づいて移動体受信端末１の現在位置を示す位置情報（例えば緯度、経度）を取得する。取得された位置情報は、制御部１８へと出力され、ＲＡＭ１８２に記憶される。
【００２４】
記憶部１６は、ＨＤＤ（Hard Disk Drive）や不揮発性の半導体メモリ等により構成され、各種データを読み書き自在に記憶する。記憶部１６に記憶されるデータとしては、例えば移動体受信端末１の各種設定データ、アンテナ１１で受信したラジオ放送の音声データ、表示部１３に表示させる各種画面データ等が挙げられる。
【００２５】
また、記憶部１６は、エリア毎にプリセット局テーブルＴ１（後述する図５参照）及びユーザ登録局テーブルＴ２（後述する図６参照）を記憶する。エリアとは、全国各地を予め所定の単位毎に区分けした一単位のことである。例えば、都道府県や市区町村等を一エリアとしてもよいし、図４に示すように、全国各地をメッシュ状に区分けしたものを一エリア（例えば図中のＥ１）としてもよい。
【００２６】
プリセット局テーブルＴ１は、メーカにより予め登録されたプリセット局の情報を整理して記憶したものである。図５に示すように、プリセット局テーブルＴ１には、プリセット局毎に付された固有の識別番号を示す登録局ＩＤ（Ｔ１１）、ＦＭ／ＡＭの別を示すバンド（Ｔ１２）、当該プリセット局の周波数（Ｔ１３）及び放送局名（Ｔ１４）、という項目別に情報が記憶されている。例えば、登録局ＩＤ（Ｔ１１）「０１」には、バンド（Ｔ１２）「ＦＭ」、周波数（Ｔ１３）「７６．５ＭＨｚ」、放送局名（Ｔ１４）「○○○ＦＭ」が対応付けられており、７６．５ＭＨｚの放送局「○○○ＦＭ」がプリセット局として登録されていることを表している。
【００２７】
ユーザ登録局テーブルＴ２は、放送局の登録操作により入力された情報を所定の項目別に整理して記憶したものである。図６に示すように、ユーザ登録局テーブルＴ２は、プリセット局テーブルＴ１と同様の構成を有する。なお、プリセット局テーブルＴ１及びユーザ登録局テーブルＴ２をエリア毎に一つのテーブルにまとめて記憶させるようにしてもよい。
ユーザによりユーザ登録局の登録操作が行われると、現在位置が属するエリアに対応するユーザ登録局テーブルＴ２に、当該登録操作に係るユーザ登録局が登録される。なお、ユーザ登録局を登録するという表現は、ユーザ登録局の情報をユーザ登録局テーブルＴ２に記憶することを表すものとする。ユーザ登録局の登録操作について具体的に説明すると、まず、登録したい放送局の選局中に登録キーを押下することにより、表示部１３に例えば図７に示すような登録操作用の画面（放送局登録画面）を表示させる。次に、表示された放送局登録画面において、選局中の放送局の情報（主に放送局名）を入力する。これにより、例えば、周波数が７９．５ＭＨｚの放送局を選局中に登録キーを押下して放送局登録画面を表示させ、放送局名（Ｔ１４）として「ＦＭ○○○」と入力した場合、自動的に登録される登録局ＩＤ（Ｔ１１）及びバンド（Ｔ１２）と対応付けて、周波数（Ｔ１３）「７９．５ＭＨｚ」の放送局「ＦＭ○○○」がユーザ登録局としてユーザ登録局テーブルＴ２に登録される。
【００２８】
音声出力部１７は、Ｄ／Ａ変換器、アンプ、スピーカ等を備えて構成され、チューナ１２又は記憶部１６から制御部１８を介して入力されたラジオ放送の音声データをアナログの音声信号に変換して音声出力する。
【００２９】
制御部１８は、例えばＣＰＵ（Central Processing Unit）１８１、ＲＡＭ（Random Access Memory）１８２、ＲＯＭ（Read Only Memory）１８３等を備えて構成され、移動体受信端末１の各部を制御する。
ＣＰＵ１８１は、ＲＯＭ１８３に格納された処理プログラム等を読み出してＲＡＭ１８２に展開し、この展開されたプログラムとの協働で各種処理を実行することにより、移動体受信端末１全体の制御を行う。
ＲＡＭ１８２は、ＣＰＵ１８１により実行された処理プログラム等を、ＲＡＭ１８２内のプログラム格納領域に展開するとともに、入力データや上記処理プログラムが実行される際に生じる処理結果等をデータ格納領域に格納する。また、ＲＡＭ１８２は、位置情報取得部１５から位置情報を入力される度に順次上書きして揮発的に記憶する。さらに、ＲＡＭ１８２は、受信フラグ設定処理（後述する図８参照）において設定される受信フラグの状態（オン／オフ）や放送局リスト更新処理（後述する図９参照）において判別されるエリア情報を揮発的に記憶する。
ＲＯＭ１８３は、例えば不揮発性の半導体メモリで構成され、処理プログラムやデータ等を予め記憶している。具体的には、選局中の放送局がユーザ登録局であるか否かを示す受信フラグを設定する受信フラグ設定プログラム、現在位置の属するエリアが変更された際に変更後のエリアで受信可能な放送局を表示部１３にリスト表示させる放送局リスト更新プログラム等を記憶している。
【００３０】
また、制御部１８は、位置情報取得部１５により取得された位置情報に基づいて現在位置が属するエリアを判別し、当該判別されたエリアのプリセット局テーブルＴ１を参照して当該エリアで受信可能なプリセット局を表示部１３にリスト表示させる。同様に、当該判別されたエリアのユーザ登録局テーブルＴ２を参照して当該エリアで受信可能なユーザ登録局を表示部１３にリスト表示させる。
【００３１】
また、制御部１８は、ユーザ登録局の選局中に異なるエリア（ユーザ登録局としてユーザ登録局テーブルＴ２に登録されていないエリア）へと移動した際に、当該ユーザ登録局からの放送波を受信している場合には、そのエリアにおいてもユーザ登録局としてユーザ登録局テーブルＴ２に登録する。移動したエリアにおいてもユーザ登録局が実際に選局されている場合、当該放送局を受信可能であり、またユーザがよく視聴する放送局であるとみなすことができるので、移動したエリアにおけるユーザ登録局としてユーザ登録局テーブルＴ２に登録することにより、利便性が向上する。
【００３２】
次に、本実施形態に係る移動体受信端末１の動作について説明する。
図８は、移動体受信端末１内で行われる受信フラグ設定処理の一例について示したフローチャートである。この受信フラグ設定処理は、ユーザ登録局の登録操作を受け付けたこと、すなわち、ある放送局が選局されているときにユーザにより登録キーが押下されたことをトリガとして、ＣＰＵ１８１がＲＯＭ１８３に格納されている受信フラグ設定プログラムを実行することにより実現される。
【００３３】
図８に示すように、ステップＳ１１では、現在位置（登録キーが押下された位置）が属するエリアのユーザ登録局テーブルＴ２を読み出す。具体的には、位置情報取得部１５により所定の間隔（例えば５分毎）で取得されＲＡＭ１８２に記憶されている位置情報に基づいて現在位置が属するエリアを判別し、当該判別されたエリアのユーザ登録局テーブルＴ２を記憶部１６から読み出す。なお、エリアの判別に利用する現在位置の位置情報は、ステップＳ１１の処理のタイミングで位置情報取得部１５に取得させたものであってもよい。
【００３４】
ステップＳ１２では、登録操作に係る放送局（選局中の放送局）がステップＳ１１で読み出したユーザ登録局テーブルＴ２に登録されているか否かを判定する。すなわち、選局中の放送局が該当エリアのユーザ登録局としてユーザ登録局テーブルＴ２に既に登録済みであるか否かを判定する。ユーザがユーザ登録局のリスト表示画面から選局した場合は、登録操作に係る放送局が既にユーザ登録局としてユーザ登録局テーブルＴ２に登録されていることになるが、周波数を手動で調整するシーク方式で選局した場合又はプリセット局のリスト表示画面から選局した場合は、登録操作に係る放送局が既にユーザ登録局としてユーザ登録局テーブルＴ２に登録されている場合も登録されていない場合もある。そこで、登録操作に係る放送局がユーザ登録局テーブルＴ２に登録済みであるか否かに応じて異なる処理を行うようにしている。
登録操作に係る放送局がユーザ登録局テーブルＴ２に登録されている（ステップＳ１２：ＹＥＳ）と判定した場合は、ステップＳ１３へと移行する。一方、登録操作に係る放送局がユーザ登録局テーブルＴ２に登録されていない（ステップＳ１２：ＮＯ）と判定した場合は、ステップＳ１５へと移行する。
【００３５】
ステップＳ１３では、受信フラグがオンになっているかオフになっているかを判定する。具体的には、ＲＡＭ１８２に記憶されている受信フラグの状態を参照して判定する。例えば、前回の受信フラグ設定処理により受信フラグがオンに設定された後、他局への選局操作が行われていない場合は、受信フラグがオンのままとなっている。一方、端末を起動した後、一度も受信フラグ設定処理が行われていない場合（ユーザ登録局の登録操作が行われていない場合）や、受信フラグ設定処理が行われた後に他局への選局操作が行われた場合は、受信フラグがオフとなっている。
受信フラグがオンになっていると判定した場合（ステップＳ１３：ＹＥＳ）は、当該受信フラグ設定処理を終了する。一方、受信フラグがオフになっていると判定した場合（ステップＳ１３：ＮＯ）は、ステップＳ１４へと移行し、受信フラグをオンに設定する。
【００３６】
ステップＳ１５では、選局中の放送局の情報をステップＳ１１で読み出したユーザ登録局テーブルＴ２にユーザ登録局として新規に登録し、当該ユーザ登録局テーブルＴ２を更新する。具体的には、図７に示した放送局登録画面において、ユーザに情報（例えば放送局名等）を入力させ、入力された情報を当該放送局のバンドや周波数と対応付けて登録する。
ユーザ登録局をリスト表示させる際には、この更新されたユーザ登録局テーブルＴ２を参照して受信可能なユーザ登録局のリストが生成され、当該生成されたリストが表示部１３に表示されることとなる。
ステップＳ１６では、受信フラグをオンに設定する。
【００３７】
この受信フラグ設定処理により、ある放送局を選局中にユーザによる登録キーの押下操作を受け付けた際、受信フラグがオンに設定される。なお、ユーザによる他局への選局操作又は電源オフ等の操作が行われた場合は、受信フラグがオフに設定される。
【００３８】
このように、本実施形態に係る移動体受信端末１は、ある放送局を選局中に登録キーの押下操作を受け付けると、受信フラグをオンに設定する。具体的には、現在位置（登録キーが押下された位置）が属するエリアをＧＰＳ信号に基づいて判別し、当該判別されたエリアのユーザ登録局テーブルＴ２に当該放送局が登録されているか否かを判定し、登録されている場合はそのまま受信フラグをオンに設定する。一方、登録されていない場合は当該判別されたエリアのユーザ登録局テーブルＴ２に当該放送局の情報を登録した後、受信フラグをオンに設定する。
【００３９】
図９は、移動体受信端末１内で行われる放送局リスト更新処理の一例について示したフローチャートである。この放送局リスト更新処理は、放送局のリスト表示（図２，３参照）が行われているときに、所定の時間（例えば５分）が経過したことをトリガとして、ＣＰＵ１８１がＲＯＭ１８３に格納されている放送局リスト更新プログラムを定期的に実行することにより実現される。
【００４０】
図９に示すように、ステップＳ２１では、ＧＰＳ信号に基づいて現在位置の位置情報を位置情報取得部１５に取得させる。ステップＳ２１で取得された位置情報は、ＲＡＭ１８２に記憶される。
【００４１】
ステップＳ２２では、ステップＳ２１で取得した位置情報に基づいて現在位置が属するエリアを判別する。ステップＳ２１で判別したエリアの情報は、ＲＡＭ１８２に記憶される。
【００４２】
ステップＳ２３では、ステップＳ２２で判別したエリアが前回処理で判別したエリアと異なるエリアであるか否かを判定する。具体的には、ＲＡＭ１８２に記憶されている前回時のエリア情報とステップＳ２１で記憶したエリア情報とを比較することで判定する。両者が異なるエリアである場合とは、すなわち、前回の放送局リスト更新処理において判別したエリアと異なるエリアに移動したことを表す。両者が同じエリアである場合とは、すなわち、前回の放送局リスト更新処理において判別したエリアに現在もいるということを表す。両者が異なるエリアであると判定した場合（ステップＳ２３：ＹＥＳ）は、ステップＳ２４へと移行する。一方、両者が同じエリアであると判定した場合（ステップＳ２３：ＮＯ）は、当該放送局リスト更新処理を終了する。
なお、例えば端末の起動時のように、前回時のエリア情報がＲＡＭ１８２に記憶されていない場合は、現在のリスト表示を保持したまま、当該処理を終了する。
【００４３】
ステップＳ２４では、受信フラグがオンになっているかオフになっているかを判定する。具体的には、ＲＡＭ１８２に記憶されている受信フラグの状態を参照して判定する。受信フラグがオンになっている場合は、現在選局中の放送局に対して、現在位置が属するエリア又は以前属していたエリアにおいてユーザによりユーザ登録局への登録操作が行われており、かつ登録操作が行われてから一度も他局への選局操作が行われていないことになる。一方、受信フラグがオフになっている場合は、現在選局中の放送局に対して、移動体受信端末１が起動されてからこれまでユーザによりユーザ登録局への登録操作が行われていないか、又はユーザ登録局への登録操作後他局への選局操作が行われたことになる。
受信フラグがオンになっていると判定した場合（ステップＳ２４：ＹＥＳ）は、ステップＳ２５へと移行する。一方、受信フラグがオフになっていると判定した場合（ステップＳ２４：ＮＯ）は、ステップＳ２７へと移行する。
【００４４】
ステップＳ２５では、選局中の放送局がステップＳ２２で判別したエリア（前回処理時と異なるエリア）のユーザ登録局テーブルＴ２に登録されているか否かを判定する。すなわち、選局中の放送局が該当エリアのユーザ登録局としてユーザ登録局テーブルＴ２に既に登録済みであるか否かを判定する。選局中の放送局がステップＳ２２で判別したエリアのユーザ登録局テーブルＴ２に登録されていると判定した場合（ステップＳ２５：ＹＥＳ）は、ステップＳ２７へと移行する。一方、選局中の放送局がステップＳ２２で判別したエリアのユーザ登録局テーブルＴ２に登録されていないと判定した場合（ステップＳ２５：ＮＯ）は、ステップＳ２６へと移行する。
【００４５】
ステップＳ２６では、選局中の放送局の情報をステップＳ２２で判別したエリアのユーザ登録局テーブルＴ２にユーザ登録局として新規に登録し、当該ユーザ登録局テーブルＴ２を更新する。具体的には、図８のステップＳ１５で登録された情報が、当該エリアのユーザ登録局テーブルＴ２に登録されることとなる。
【００４６】
ステップＳ２７では、ステップＳ２２で判別したエリアのプリセット局テーブルＴ１及びユーザ登録局テーブルＴ２に基づいて、受信可能なプリセット局及びユーザ登録局を表示部１３にリスト表示させる。
【００４７】
現在選局中の放送局に対して、移動体受信端末１が起動されてからこれまでユーザによりユーザ登録局への登録操作が行われていないか、又はユーザ登録局への登録操作後他局への選局操作が行われた場合（ステップＳ２４：ＮＯ）は、現在位置が属するエリアに対応して登録されているユーザ登録局テーブルＴ２又はプリセット局テーブルＴ１を参照してリストが表示されることとなる。また、現在選局中の放送局が、現在位置が属するエリアのユーザ登録局テーブルＴ２に既に登録済みである場合（ステップＳ２５：ＹＥＳ）も同様に、現在位置が属するエリアに対応して登録されているユーザ登録局テーブルＴ２又はプリセット局テーブルＴ１を参照してリストが表示されることとなる。
一方、現在選局中の放送局がユーザ登録局テーブルＴ２に登録されていなかった場合（ステップＳ２５：ＮＯ）は、移動後のエリアに対応して登録されている更新されたユーザ登録局テーブルＴ２又はプリセット局テーブルＴ１を参照してリストが表示されることとなる。
【００４８】
なお、この放送局リスト更新処理を実行中にユーザによる他局への選局操作が行われた場合は、受信フラグをオフに設定し、現在のリスト表示を保持したまま、処理を終了する。また、リスト表示が行われていないときには、ユーザ登録局テーブルＴ２の更新だけを行い（図９のステップＳ２７を省略した処理）、リスト表示させるときに更新後のユーザ登録局テーブルＴ２が参照されるようにしてもよい。
【００４９】
このように、本実施形態に係る移動体受信端末１は、記憶部１６に記憶されたユーザ登録局が、対応付けられたエリアとは異なるエリアで選局されていた場合に、当該異なるエリアにおいてもユーザ登録局としてユーザ登録局テーブルＴ２に登録する。具体的には、位置情報取得部１５により取得される位置情報に基づいて現在位置の変化を監視し、ユーザ登録局が選局されているときに現在位置の属するエリアが変化した場合に、当該ユーザ登録局を変化後のエリアにおけるユーザ登録局としてユーザ登録局テーブルＴ２に登録する。
そして、位置情報取得部１５により取得された位置情報に基づいて、現在位置が属するエリアに対応してユーザ登録局テーブルＴ２に登録されているユーザ登録局を表示部１３にリスト表示させる。
【００５０】
すなわち、移動体受信端末１は、あるエリアでユーザ登録局としてユーザ登録局テーブルＴ２に登録された放送局が、異なるエリアでも選局されていたときに、この放送局を当該異なるエリアのユーザ登録局としてもユーザ登録局テーブルＴ２に登録し、リスト表示する。
これにより、ユーザがエリアごとにユーザ登録局としてユーザ登録局テーブルＴ２に登録しなくても、ユーザ登録局の登録操作後に視聴を続けた周辺エリアにおいて自動的にユーザ登録局としてユーザ登録局テーブルＴ２に登録されるので、ユーザにとって利用価値の高いユーザ登録局をリスト表示させることができる。また、ユーザ登録局としてユーザ登録局テーブルＴ２に登録されていないために、受信を続けているにもかかわらずエリアが変化したときにユーザ登録局のリスト表示から消失してしまい、ユーザが違和感を覚えるのを防止できる。
従って、本実施形態に係る移動体受信端末１は、エリアが変更されたときにも、受信可能なユーザ登録局を容易かつ適切にリスト表示させることが可能となる。
【００５１】
また、移動体受信端末１は、選局されている放送局に対して操作部１４により登録操作を受け付けた場合に、選局されている放送局をユーザ登録局として登録するとともに受信フラグをオンに設定する一方、受信フラグがオンに設定されているときにユーザ登録局として登録した放送局以外の放送局が選局された場合は、受信フラグをオフに設定し、この受信フラグの状態に基づいてユーザ登録局を変化後のエリアにおけるユーザ登録局として記憶部１６に記憶させるか否かを判定する。具体的には、受信フラグがオンに設定されている場合に、選局されている放送局を変化後のエリアにおけるユーザ登録局として記憶部１６に記憶させる。
これにより、受信フラグの状態を参照するだけで、選局されている放送局を変化後のエリアにおけるユーザ登録局として記憶部１６に記憶させるか否かを判定することができるので、登録操作に伴う処理負担を軽減することができ、端末をより有効に活用することができる。
【００５２】
以上、本発明に係る実施形態に基づいて具体的に説明したが、本発明は上記実施形態に限定されるものではなく、その要旨を逸脱しない範囲で変更可能である。
【００５３】
例えば、上記実施形態では、放送局としてラジオ放送局を例示して説明しているが、これに限定されるものではない。例えば端末にＴＶ放送受信用のアンテナ及びチューナを備えることで、現在位置が属するエリアで受信可能なＴＶ放送局を適切にリスト表示させることができる。
【００５４】
また、上記実施形態では、位置情報取得部１５で取得した位置情報をＲＡＭ１８２に記憶させるようにしているが、これに限定されるものではない。例えば揮発性のＲＡＭ１８２の代わりに記憶部１６の不揮発メモリに記憶させることで、取得した位置情報を蓄積することができる。
【００５５】
また、上記実施形態では、位置情報取得部１５としてＧＰＳアンテナ１５ａを有するＧＰＳモジュールを例示して説明しているが、これに限定されるものではない。例えば車の角速度（単位時間あたりの水平方向への回転角度）を検出して移動方位の変化量を算出する角度センサ、車輪の回転に応じて出力されるパルス信号を検出して車両の移動量を算出する距離センサ等を有する自律航法ユニットを位置情報取得部１５に更に備える構成とし、車両の相対的な位置変化を算出させて位置情報を取得させるようにしてもよい。自律航法ユニットを備えることで、例えばＧＰＳ信号を受信できない場所であっても位置情報を取得することができる。
【００５６】
また、上記実施形態では、放送局をユーザ登録局としてユーザ登録局テーブルＴ２に登録する際、表示部１３に放送局登録画面を表示させ、当該登録対象の放送局の情報（例えば放送局名等）をユーザに入力させるようにしているが、これに限定されるものではない。すなわち、ユーザ登録局テーブルＴ２に放送局が登録される際に、登録する情報（少なくとも周波数と表示用の放送局名）が必要となるが、現在チューナ１２に設定されている値を取得するだけの周波数と異なり、表示用の文字列などは参照する情報がないため、上記実施形態ではユーザに入力させるようにしている。しかしながら、例えば予めプリセット局テーブルＴ１に記憶されているプリセット局から選局してユーザ登録局テーブルＴ２に登録する場合や、ユーザ登録局テーブルＴ２に登録する際に、現在位置が属するエリアのプリセット局テーブルＴ１に同じ周波数の放送局が存在する場合は、上記プリセット局テーブルＴ１に記憶された情報（例えば放送局名等）を自動的に登録させるようにしてもよい。これにより、ユーザによる登録操作を省略することができるので、非常に有用である。
【００５７】
また、上記実施形態では、ユーザにより登録キーが押下されたことをトリガとして、受信フラグ設定処理を実行するようにしているが、これに限定されるものではない。例えば、既にユーザ登録局としてユーザ登録局テーブルＴ２に登録済みの放送局をユーザが選局したこと（例えば、ユーザ登録局のリスト表示からの選局操作）をトリガとして、受信フラグ設定処理を実行することも可能である。また、各エリアにおける周波数の重なりを考慮しないでもよい状況であれば、ユーザがある放送局を選局したときに、全エリアにおけるユーザ登録局テーブルＴ２を検索して、ユーザが選局した放送局の周波数が登録されているか否かを判定し、いずれかのユーザ登録局テーブルＴ２に当該周波数が登録されていた場合に、受信フラグをオンに設定するようにしてもよい。
これにより、選局中の放送局をユーザ登録局としてユーザ登録局テーブルＴ２に登録した後に他局への選局操作を受け付けて受信フラグがオフに設定された場合でも、当該登録したユーザ登録局を再度選局すれば受信フラグがオンに設定される。従って、一旦受信フラグがオフに設定された場合でも、エリアの変更後に受信可能なユーザ登録局を容易かつ適切にリスト表示させることができる。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５９】
１  移動体受信端末
１１  アンテナ（受信部）
１２  チューナ（受信部）
１３  表示部
１４  操作部
１５  位置情報取得部
１５ａ  ＧＰＳアンテナ
１６  記憶部
１７  音声出力部
１８  制御部
１８１  ＣＰＵ
１８２  ＲＡＭ
１８３  ＲＯＭ
【図１】
2012090200.tif 000003
【図２】
2012090200.tif 000004
【図３】
2012090200.tif 000005
【図４】
2012090200.tif 000006
【図５】
2012090200.tif 000007
【図６】
2012090200.tif 000008
【図７】
2012090200.tif 000009
【図８】
2012090200.tif 000010
【図９】
2012090200.tif 000011